(57)【要約】【課題】本発明は、床鳴りやキシミ音の発生が少なく吸音性、遮音性に優れた昇降時静音階段を提供すること。【解決手段】踏板１１と蹴込み板１２とこれらを支える力桁（図示略）とから少なくとも構成される階段であって、前記踏板１１はその裏面側において、少なくとも制振材及び又は吸音材を有することを特徴とする昇降時静音階段１である。【選択図】図１
2004162450.tif 000002
【特許請求の範囲】
【請求項１】
踏板１１と蹴込み板とこれらを支える力桁とから少なくとも構成される階段であって、
前記踏板１１はその裏面側において、少なくとも制振材及び又は吸音材を有することを特徴とする昇降時静音階段。
【請求項２】
制振材は防音ゴム、フェルト、ループカーペット、コルク薄板、制振鋼板のいずれかであることを特徴とする請求項１に記載の昇降時静音階段。
【請求項３】
吸音材は穴あき吸音板、防音ゴム、ループカーペット、フェルト、コルク薄板のいずれかであることを特徴とする請求項１に記載の昇降時静音階段。
【発明の詳細な説明】
【０００１】
【発明の属する技術分野】
本発明は、床鳴りやキシミ音の発生が少なく、吸音性、遮音性に優れた昇降時静音階段に関する。
【０００２】
【従来の技術】
従来の階段９は、図５に示すごとく、少なくとも踏板９１と蹴込み板９２とこれらを受け板部材９３を介在して支える力桁９４とによって構成されているのが一般的である。
【０００３】
そして、上記踏板９１には、特許文献１（特に図１）によれば、その先方一端に滑り止め用の切り込み凹部９１０を有する段鼻部９１１が形成されている。
【０００４】
【発明が解決しようとする課題】
しかしながら、従来の階段９には、図６に示すごとく、特許文献２によれば、踏板９１や蹴込み板９２の裏面側において、防音ゴムやフェルトの如き制振材や吸音材が全く配設されていない。
そのため、階段昇降時に床鳴りやキシミ音の発生が発生する場合が多々ある。
【０００５】
その発生要因としては、下記のような階段の構成部において、何らかの欠陥がある場合が多い。
例えば、踏板９１や蹴込み板９２の接合部分において、隙き間や接合不良部が存在するために、構造的なひずみやたわみが生じて、接合部分のなじみが悪いことに起因しているものと考えられる。
【０００６】
【特許文献１】
特開２０００−１２９８８０号公報
【特許文献２】
特開平１１−３５０６９１号公報
【０００７】
そこで本発明は、上記従来の階段９の問題点に鑑みてなされたものであり、本発明が解決しようとする課題は、床鳴りやキシミ音の発生がなく、吸音性や遮音性に優れた昇降時静音階段を提供しようとするものである。
以下、本発明の解決手段を図面の符号を付して具体的に説明する。
【０００８】
【課題を解決するための手段】
上記課題を解決するため、本発明が採った手段は、防音ゴムやフェルトなどの制振材及び又は吸音材が有する特性を有効に利用することにより、床鳴りやキシミ音の発生を抑制して、吸音性や吸音性を向上させることを特徴とするものである。
【０００９】
まず請求項１記載の発明が採用した手段は、踏板１１と蹴込み板１２とこれらを支える力桁１４とから少なくとも構成される階段であって、
前記踏板１１はその裏面側において、少なくとも制振材及び又は吸音材を有することを特徴とするものである。
【００１０】
これにより、床鳴りやキシミ音の発生が少なく、吸音性や遮音性に優れた昇降時静音階段１を提供することが出来る。そのため、階段昇降時における衝撃音や深夜におけるキシミ音の発生を防止して、音響環境の改善を図ることが出来る。
【００１１】
次に請求項２に記載の発明が採用した手段は、制振材は防音ゴム、フェルト、コルク薄板、制振鋼板、ループカーペットのいずれかであることを特徴とするものである。
これにより、入手が容易で比較的安価な材料を有効利用して、階段の吸音性やキシミ音の発生がなく、吸音性及び遮音性を向上させることが出来る。
【００１２】
そして請求項３に記載の発明が採用した手段は、吸音材は穴あき吸音板、防音ゴム、ループカーペット、フェルト、コルク薄板のいずれかであることを特徴とするものである。
これにより、前記制振材と同様に入手が容易で比較的安価な吸音材料を有効利用して、床鳴りやキシミ音の発生が少なく、吸音性やキシミ音の発生の向上により音響環境の改善を図ることが出来る。
【００１３】
【発明の実施の形態】
本発明の実施の形態を実施例における実施の態様に基づき、図面を参照して具体的に説明する。
【００１４】
本発明に係る昇降時静音階段１は、踏板１１と蹴込み板１２とこれらを支える力桁（図示略）とから少なくとも構成されている（図１参照）。
そのため、主として「側げた階段」に応用されるが「箱階段」にも適用が可能である。
【００１５】
上記踏板１１と蹴込み板１２と力桁以外にも、回り階段や折返し階段においては踊り場を配置したり、踏板１１の受け板（こま）を介在して踏板１１や蹴込み板１２を力桁によって支えることが出来る。
【００１６】
また、階段側板には手すりや手すり子を配置して安全性を高めたり、くさびを使用して踏板１１や蹴込み板１２を階段側板や力桁に強固に取付け施工することも出来る。
【００１７】
次に、前記踏板１１には、その裏面側において、少なくとも制振材及び又は吸音材を配設することとしている。
本発明において、主として使用する制振材としては、例えば防音ゴム１１２、フェルト１１１、コルク薄板、ループカーペット、制振鋼板などがある。
【００１８】
上記防音ゴム１１２としては、例えば天然ゴム、ブタジエンゴム、アクリロニトリルゴム、スチレンブタジエンゴム、クロロプレーンゴム、ブチルゴム、ウレタンゴムなどがある。この他にもゴムの内部に空気や各種のガスを用いて微少な空洞を形成した、いわゆる発泡性ゴムもある。
【００１９】
これらの防音ゴム１１２は、いずれもゴムが有する弾性を利用した「ばね」であり、次のような特徴がある。
防音ゴム１１２は形状や寸法を広範囲に選択出来るため、３軸方向の防振効果が期待出来る。
そして、防音ゴム１１２の内部摩擦は大きいため、高い周波数の振動を吸収するのに適している。そのため、吸音性や遮音性に優れた階段を提供することが出来る。
【００２０】
また、防音ゴム１１２は多量生産に適しており、入手が容易であって、比較的安価で軽量のため運搬に便利である。
しかも、踏板１１や蹴込み板１２の裏面側において、接着剤や小釘などを用いて簡便に装着できる特性を有している。
【００２１】
前記フェルト１１１としては、例えばカーペットなどの如き柔軟性及び弾力性を有する天然又は合成樹脂製のシート状物、発泡合成樹脂シート、各種の布類などがある。
【００２２】
ここで注目すべきことは、前記フェルト１１１の他に、これと共に特にループカーペットを使用することが出来る点である。これにより、前記フェルト１１１を踏板１１や蹴込み板１２の裏面側に配置した後に、ループカーペットのループを利用して二重構造のフェルト１１１を得ることが出来るため、吸音性や遮音性を一層向上させることが出来る。そのため、本発明においては、制振材や吸音材の組合せ利用も可能となる。
【００２３】
コルク薄板は、一般に天然のコルクの木から採取した軽量で柔軟性に富んだ薄板である。
また、制振鋼板としては振動を吸収する性質を有する各種の鋼板がある。そして、上記防音ゴムと交互に何層も積層した複合材もある。
【００２４】
一方、吸音材としての穴あき吸音板は、例えばファイバーボードやインシュレイションボードなどの軟質ボードの他に、硬質のハードボードなどの表面に多数の非貫通孔を設け、その表面を塗装して硬度や耐久性を向上させたものがある。
【００２５】
そして、本発明の実施例においても示すごとく、上記制振材や吸音材は、踏板１１の裏面側又は踏板１１及び蹴込み板１２の裏面側、更には蹴込み板１２の裏面側においても配置して、床鳴りやキシミ音の発生を減少させ、吸音性及び遮音性を向上させることが出来る。
【００２６】
その結果、階段昇降時の微少な振動音の発生をも減少することが出来るため、床鳴りやキシミ音の発生を防止して、階段昇降時に発生する床鳴りやキシミ音の発生の少ない昇降時静音階段１を提供出来るものと考えられる。特に高周波の発生音を吸音して音響環境の改善を図ることが出来る。
【００２７】
（実施例１）
本例の昇降時静音階段１は、図１に示すごとく、踏板１１と蹴込み板１２と、これらを支える力桁（図示略）と、該力桁によって支えられる受け板部材１３と、側板１４とによって構成されている。
【００２８】
そして、前記踏板１１は、その裏面側において、制振材と吸音材とを兼ねたフェルト１１１を使用したものである。制振材はウレタンゴムの発泡体からなるフェルト１１１であり、吸音材はブタジエンゴムの発泡体により構成したものである。
【００２９】
なお、上記フェルト１１１は、広葉樹アピトンからなる踏板１１の裏面側にブタジエンゴム系の接着剤を使用して、踏板１１の製作後にその製造工場において、大量連結生産したものである。そのため、施工現場において踏板１１の裏面側に貼着する必要がない。これにより、階段取付施工時においる省力化や作業の迅速化を図ることが出来る。
【００３０】
また、前記踏板１１は、図２に示すごとく、側板１４の切り込み凹部１４０において、くさび１５を使用して取付け施工した。なお、踏板１１は、裏面側において蹴込み板１２の嵌合溝１１７を有し、一方表面側において前方先端の段鼻部１１０にも滑り止め用の切り込み凹部１１５を有する。
【００３１】
これにより本例に係る昇降時静音階段１は、床鳴りやキシミ音の発生が少なく、吸音性及び遮音性に優れ、階段の施工現場における省力化や作業の迅速化を図ることができた。
【００３２】
（実施例２）
本例は、図３に示すごとく、実施例１におけるフェルト１１１に代えて、防音ゴム１１２を採用し、さらに蹴込み板１２の裏面側においてフェルト１１１をブタジエンゴム系の接着剤を使用して、踏板１１の製作後にその製造工場で大量連続生産したものである。その他は、実施例１と同様の構成にした
【００３３】
これにより、実施例１と同様に、階段取付施工時における省力化や作業の迅速化を図ることが出来ると共に、実施例１よりも約２〜３割位も吸音性及び遮音性が向上した。
【００３４】
（実施例３）
本例は、図４に示すごとく、実施例１におけるフェルト１１１をさらに蹴込み板１２を蹴込み板１２の裏面側においてもブタジエンゴム系の接着剤を使用して、階段の取付施工現場において装着したものである。
これにより、踏板１１と蹴込み板１２との接合部１５の裏面側においても、制振材及び吸音材を兼ねたフェルト１１１が装着されるため、実施例１及び実施例２よりもさらに吸音性及び遮音性が向上した。
【００３５】
そして、本発明の目的とするところは、踏板１１、蹴込み板１２の裏面側において、制振材及び又は吸音材を装着するものであるから、この本質を逸脱しない限り、箱階段等にも変形応用することが出来る。
【発明の効果】
以上説明した如く、本発明は請求項１〜請求項３に記載の発明により構成されたものであるから、下記に示すような諸々の効果を奏するものである。
【００３６】
まず請求項１に記載の発明によれば、床鳴りやキシミ音の発生が少なく、吸音性や遮音性に優れた昇降時静音階段１を提供することが出来る。そのため、階段昇降時における衝撃音や深夜におけるキシミ音の発生を防止して音響環境の改善を図ることが出来る。
【００３７】
次に、請求項２に記載の発明によれば、入手が容易で比較的安価な材料を有効利用して、階段の吸音性やキシミ音の発生を向上させることが出来る。
【００３８】
そして請求項３に記載の発明によれば、前記制振材と同様に入手が容易で比較的安価な材料を有効利用して、床鳴りやキシミ音の発生が少なく、吸音性やキシミ音の発生を少なくして音響環境の改善を図ることが出来る。
【００３９】
以上の如く、本発明によれば、踏板１１、蹴込み板１２の裏面側において、少なくとも制振材及び又は吸音材を装着することにより、床鳴りやキシミ音の発生が少なく、吸音性及び遮音性に優れた昇降時静音階段１を提供することが出来る。
【図面の簡単な説明】
【図１】本発明の実施例１に係る昇降時静音階段の断面図である。
【図２】本発明の実施例１に係る昇降時静音階段の裏面側から見た斜視図である。
【図３】本発明の実施例２に係る昇降時静音階段の断面図である。
【図４】本発明の実施例３に係る昇降時静音階段の断面図である。
【図５】従来の階段の断面図である。
【図６】従来の階段の裏面側から見た斜視図である。
【符号の説明】
１        昇降時静音階段
１１            踏板
１１１        フェルト
１１２        防音ゴム
１１５        切り込み凹部
１２            蹴込み板
１３            受け板部材
１４            側板
【図１】
2004162450.tif 000003
【図２】
2004162450.tif 000004
【図３】
2004162450.tif 000005
【図４】
2004162450.tif 000006
【図５】
2004162450.tif 000007
【図６】
2004162450.tif 000008